(57)【要約】【課題】  ユーザにとって、どの操作を行なっているか容易に判断できる操作画面を表示できる映像表示装置を提供する。【解決手段】  制御部２２は、遠隔操作部３０からの指示に基づいて、キャラクタ・ジェネレータ２５の中に格納されている操作パネルの中からを指示に対応する操作パネルを選択し、外部機器情報に基づいて操作パネルを生成し、表示部２０に表示させる。再生ステータスを示す再生操作パネルと録画ステータスを示す録画操作パネルを別のパネルに配し、操作パネル上の「再生操作」あるいは「録画操作」ボタンを押すことによって、操作パネルを切り換えることができる。リモコン信号が制御部２２に入力されると、操作パネル上の操作ボタンの選択処理等を行い、それをユーザが認識できるように表示する。そして、制御部２２が操作パネルで操作された内容に基づいて、外部機器を制御する。【選択図】  図１
2006222693.tif 000002
【特許請求の範囲】
【請求項１】
複数の外部のＡＶ機器のいずれかから出力される映像／音声情報を受信し、当該外部のＡＶ機器を識別するための識別情報を取得することが可能な映像表示装置において、
当該外部のＡＶ機器より取得した当該識別情報を登録し、
登録された前記外部のＡＶ機器から任意の１つを選択し、
使用者の要求により当該選択した外部のＡＶ機器に対する操作画面を表示し、
表示された前記操作画面は前記外部のＡＶ機器の有する動作状態毎に異なる操作画面を有し、
使用者の操作によって前記操作画面の表示が切り換えられることを特徴とする映像表示装置。
【請求項２】
前記操作画面は、外部のＡＶ機器の少なくとも録画状態もしくは再生状態のそれぞれに必要な操作項目でそれぞれ構成されていることを特徴とする請求項１に記載の映像表示装置。
【請求項３】
前記映像表示装置は、前記外部のＡＶ機器と接続するためのインターフェースを有し、
前記識別情報は、当該インターフェースを介して前記外部のＡＶ機器が接続された時に自動的に取得されることを特徴とする請求項１または２に記載の映像表示装置。
【請求項４】
前記識別情報は、各外部のＡＶ機器に関する少なくとも種別、メーカー名、製品型名及び製品番号のいずれかを含むものであることを特徴とする請求項１乃至３のいずれかに記載の映像表示装置。
【請求項５】
前記操作画面は、選択された外部のＡＶ機器が特定の種別であると判断した時に切換処理が可能であることを特徴とする請求項１乃至４のいずれかに記載の映像表示装置。
【請求項６】
前記操作画面の表示処理があった時は、選択された外部のＡＶ機器に関する少なくとも種別、メーカー名、製品型名及び製品番号のいずれかを画面表示することを特徴とする請求項１乃至５のいずれかに記載の映像表示装置。
【請求項７】
前記操作画面は、前記映像表示装置の画像表示部の隅に表示されることを特徴とする請求項１乃至６のいずれかに記載の映像表示装置。
【請求項８】
当該映像表示装置の画像表示部に表示される映像情報として、前記操作画面の表示の選択操作に対応した当該ＡＶ機器の動作状態において対象となる映像情報を選択して表示処理がなされることを特徴とする請求項１乃至７に記載の映像表示装置。
【発明の詳細な説明】
【技術分野】
【０００１】
本発明は、テレビジョン受信機等の表示部を有する映像表示装置に関し、ＤＶＤレコーダ等の接続された外部機器をリモコン等により操作する場合に、操作画面を表示部に表示させて操作を行なうことができる映像表示装置に関する。
【背景技術】
【０００２】
近年、ＩＥＥＥ１３９４規格に準拠したデジタルＡＶ機器を相互にＩＥＥＥ１３９４専用ケーブルを介して接続し、映像や音声のデジタルデータを送受信して、記録再生するシステムが登場している。ここで、ＩＥＥＥ１３９４規格とは、複数のＡＶ機器相互間で、大容量のデジタルデータを高速に転送できるシリアルＳＣＳＩの規格である。ＩＥＥＥ１３９４専用ケーブルは、デジタルＡＶ機器をデイジーチェーン接続（数珠つなぎ接続）や、分岐接続が可能である。
【０００３】
例えば、図８（ａ）に示すように、テレビジョン受信機１０１に、ＩＥＥＥ１３９４専用ケーブル１１０を介して、録画再生機器である外部機器１０２，１０３をデイジーチェーン接続（数珠つなぎ接続）することが可能である。また、図８（ｂ）に示すように、テレビジョン受信機１０１に、ＩＥＥＥ１３９４専用ケーブル１１０を介して外部機器１０２を接続し、外部機器１０２には外部機器１０３、１０４を分岐接続することも可能である。分岐接続する位置は、これに限らず、どの機器からも分岐接続は可能である。
【０００４】
このようにＩＥＥＥ１３９４専用ケーブルにより接続されたデジタルＡＶ機器を、ＩＥＥＥ１３９４規格準拠の所定のコマンドを用いることにより、制御することが可能である。このように接続されたデジタルＡＶ機器を制御する場合、テレビジョン受信機が有するＯＳＤ画面表示機能を用いて、テレビ画面にテレビ映像と重畳させてＧＵＩ（Graphical User Interface）操作画面を表示し、ユーザが、表示されたＧＵＩ操作画面に基づいてリモコンあるいはデジタル放送受信装置本体の操作ボタンを操作することによって、コマンドを送信して外部機器に対する制御が実行される。
【０００５】
ＩＥＥＥ１３９４専用ケーブルで接続されたテレビジョン受信機と録画再生機器（外部機器）とが連携して録画動作を行なうことに関する従来技術としては、例えば、特許文献１に示すものがある。これは、外部録画機器の再生操作と録画操作を、同一のＯＳＤ表示された操作画面に表示し、ユーザに操作させるものである。
【特許文献１】特開２００３−２７４２９７号公報
【発明の開示】
【発明が解決しようとする課題】
【０００６】
従来の録画再生装置である外部機器にあっては、再生操作の内容を示す再生ステータスと録画操作の内容を示す録画ステータスを同一のコントロールパネル（操作画面）上に表示していたため、表示の必要がある操作項目（ＰＬＡＹ、ＲＥＣボタンなど）の数が多かった。特に最近の録画再生装置は、多機能となっているので、操作項目が多くなる傾向にあり、操作画面が大きくなる。このため、映像表示装置に映像を表示させながら外部機器の操作を行なう場合、操作画面によって隠れてしまう領域が大きく、ユーザが本来見たい映像が見にくくなるという問題がある。
【０００７】
また、操作画面において、再生ステータスと録画ステータスを同一領域に表示していると、機能の状態によって表示自体が切り替わるため、あるコンテンツを録画中に別のコンテンツを再生可能な機器などでは再生ステータスと録画ステータスの現在の状態をユーザが判断しにくい。
【０００８】
しかも、ＨＤＤを有するＤＶＤレコーダ等の録画再生装置にあっては、全く別のコンテンツを同時に録画・再生することが可能である。さらに、ＩＥＥＥ１３９４規格の接続ケーブルは複数の機器を接続可能であるため、複数の外部機器を接続して同時に録画と再生を機能させることも可能である。そのため、従来のように一画面中に操作内容のほとんどを表示するとなると、操作項目が非常に多くなり、しかも、外部機器において、異なる複数の動作が同時に実施されるため、一画面ですべて表示するとなると、ユーザが現在どの操作を行なっているか判断しにくい。
【０００９】
そこで、本発明の目的は、ユーザにとって、どの操作を行なっているか容易に判断できる操作画面を表示できる映像表示装置を提供することである。
【課題を解決するための手段】
【００１０】
本発明は、複数の外部のＡＶ機器のいずれかから出力される映像／音声情報を受信し、当該外部のＡＶ機器を識別するための識別情報を取得することが可能な映像表示装置において、当該外部のＡＶ機器より取得した当該識別情報を登録し、登録された前記外部のＡＶ機器から任意の１つを選択し、使用者の要求により当該選択した外部のＡＶ機器に対する操作画面を表示し、表示された前記操作画面は前記外部のＡＶ機器の有する動作状態毎に異なる操作画面を有し、使用者の操作によって前記操作画面の表示が切り換えられることを特徴とする。
【００１１】
また、前記操作画面は、外部のＡＶ機器の少なくとも録画状態もしくは再生状態のそれぞれに必要な操作項目でそれぞれ構成されていることを特徴とする。
【００１２】
また、前記映像表示装置は、前記外部のＡＶ機器と接続するためのインターフェースを有し、前記識別情報は、当該インターフェースを介して前記外部のＡＶ機器が接続された時に自動的に取得されることを特徴とする。
【００１３】
また、前記識別情報は、各外部のＡＶ機器に関する少なくとも種別、メーカー名、製品型名及び製品番号のいずれかを含むものであることを特徴とする。
【００１４】
また、前記操作画面は、選択された外部のＡＶ機器が特定の種別であると判断した時に切換処理が可能であることを特徴とする。
【００１５】
また、前記操作画面の表示処理があった時は、選択された外部のＡＶ機器に関する少なくとも種別、メーカー名、製品型名及び製品番号のいずれかを画面表示することを特徴とする。
【００１６】
また、前記操作画面は、前記映像表示装置の画像表示部の隅に表示されることを特徴とする。
【００１７】
また、当該映像表示装置の画像表示部に表示される映像情報として、前記操作画面の表示の選択操作に対応した当該ＡＶ機器の動作状態において対象となる映像情報を選択して表示処理がなされることを特徴とする。
【発明の効果】
【００１８】
本発明によれば、外部のＡＶ機器の動作状態毎に異なる操作画面が設定されているので、１操作画面中の操作項目総数を少なくすることができ、操作画面の表示領域を小さくすることができる。従って、映像表示装置に表示されている映像にＯＳＤ画像として操作画面が表示された場合に、操作画面によって隠される領域を小さくすることができる。また、使用者の操作に対応する前記操作画面の表示に切り換えるので、使用者がどの操作を行なっているのか容易に判断できる。よって、誤って再生時に、ユーザが録画操作を行なってしまうという虞が解消される。
【００１９】
また、本発明によれば、外部のＡＶ機器の識別情報は、インターフェースを介して外部ＡＶ機器が接続された時に自動的に取得されるので、使用者自身の操作によって識別情報を登録する必要がなく、使い勝手が向上する。
【００２０】
また、本発明によれば、選択された外部のＡＶ機器が特定の種別、すなわち複数の動作状態の操作画面を必要とするほど操作数が多いＡＶ機器であると判断した時に切換処理が可能であるので、必要な場合にのみ、動作状態毎に必要最低限の操作数の操作画面を表示できる。
【００２１】
また、本発明によれば、操作画面の表示処理があった時は、選択された外部のＡＶ機器に関する情報が表示されるので、どのＡＶ機器に対する操作を行なっている操作画面であるか容易に判断できる。
【００２２】
また、本発明によれば、操作画面が、画像表示画面の隅に表示されるので、操作画面によって隠される領域が隅に限定され、表示画面に表示されている映像を見易くすることができる。
【発明を実施するための最良の形態】
【００２３】
以下、本発明の実施の形態について、添付図面を参照して説明する。
【００２４】
図１は、本発明に係る映像表示装置とそれに接続する外部機器を示すブロック図である。
本実施形態においては、デジタル放送を受信可能な映像表示装置であるテレビジョン受信機１０に、ＩＥＥＥ１３９４専用ケーブル４０を介して外部機器５０と外部機器６０がデイジーチェーン接続している。ここで、外部機器５０は、ＢＬＵ−ｒａｙ  Ｄｉｓｃ  レコーダ（以降ＢＤと称する）であり、外部機器６０は、Ｄ−ＶＨＳビデオデッキ（以降Ｄ−ＶＨＳと称する）であり、共に映像の録画再生が可能なＡＶ機器である。
【００２５】
なお、映像表示装置はテレビジョン受信機に限らず、パソコン等のビデオ映像を再生可能なものであればよい。また、外部機器は、上記以外にもＤＶＤ機器、ＨＤＤレコーダ等のいかなる録画再生機器であっても構わない。
【００２６】
テレビジョン受信機１０は、アンテナ１１と、受信部１２と、ＩＥＥＥ１３９４インターフェース１３ａ，１３ｂと、ＡＶセレクタ１４と、映像デコード部１５と、ＥＰＧデコード部１６と、音声デコード部１７と、映像処理部１８と、音声処理部１９と、表示部２０と、音声出力部２１と、制御部２２と、リモコン受光部２３と、ＲＯＭ２４と、ＲＡＭ２６とから構成される。ＲＯＭ２４は、キャラクタ・ジェネレータ２５を備え、ＲＡＭ２６は、外部機器情報登録部２７を備える。
【００２７】
外部機器５０，６０は、それぞれ記録媒体として、ＢＤとビデオテープを備え、その録画再生のための処理回路と機構を有しているが、その記載は省略している。外部機器５０，６０は、受信部５１，６１と、ＩＥＥＥ１３９４インターフェース５２ａ，５２ｂ，６２ａ，６２ｂと、ＡＶセレクタ５３，６３と、デコード部５４，６４と、エンコード部５５，６５と、ＲＡＭ５６，６６と、制御部５８，６８と、入力部５９，６９とから構成される。
【００２８】
次に、このテレビジョン受信機１０及び外部機器５０，６０の動作について説明する。
まずテレビジョン受信機１０において、アンテナ１１によって受信されたデジタル放送信号は、周波数変換されて受信部１２に入力され、受信部１２は、デジタル信号のうちから特定周波数の信号（トランスポートストリーム）を取り出す。ここで、受信部１２は特定周波数の信号に対し、復調、誤り訂正等の処理を施す。
【００２９】
ＡＶセレクタ１４は、トランスポートストリームから、映像データ（ビデオストリーム）、ＥＰＧデータ及び音声データ（オーディオストリーム）を取り出し、それぞれを映像デコード部１５、ＥＰＧデコード部１６、音声デコード部１７に出力して復号化する。映像処理部１８は、映像データをＤ／Ａ変換し、さらにコンポジット信号に変換して表示部２０に表示できるように処理する。こうして、映像が表示部２０に表示される。また、ＥＰＧデータは、映像処理部１８によりＯＳＤ処理されて、映像に重畳する状態で表示部２０に表示することができる。音声データは、音声処理部１９でＤ／Ａ変換され、音声出力部２１から出力される。また、外部機器５０，６０からの映像音声情報もＩＥＥＥ１３９４インターフェース１３ａを介して入力され、ＡＶセレクタ１４に入力される。これ以降の処理は上述した通りなので、説明は省略する。
【００３０】
外部機器５０は、アンテナ１１、受信部５１からのトランスポートストリームやＩＥＥＥ１３９４インターフェースからのトランスポートストリームからＡＶセレクタ５３において、映像や音声等のデータ（ストリーム）を取り出す。それをデコード部５４において複合化する。また、映像や音声等のデータ（ストリーム）をエンコード部５５において符号化し、ＡＶセレクタ５３においてトランスポートストリームに変換してＩＥＥＥ１３９４インターフェースを介してテレビジョン受信機１０に送出する。
ここで、外部機器５０は、記録媒体であるＢＤに対し録画再生を行うのであるが、この部分は説明を省略する。
【００３１】
ＲＡＭ５６の外部機器情報登録部５７にはあらかじめ、外部機器情報（詳しくは後述する）が登録されており、このデータをテレビジョン受信機１０にエンコード部５５で符号化して送出する。各部の制御は制御部５８が行なうのであるが、これはテレビジョン受信機１０からのＩＥＥＥ１３９４規格のコマンドによる場合と、装置内の入力部５９による指示の場合がある。
なお、外部機器６０（Ｄ−ＶＨＳ）においても同じであるので、詳しい説明は省略する。
【００３２】
これら外部機器５０，６０は、図２に示すリモコン（遠隔操作部）３０により、ユーザが操作可能となっている。リモコン３０は、カーソルを左右上下に移動できるカーソル移動キー３１、カーソルが示す項目に確定するカーソル決定キー３２、ＩＥＥＥ１３９４規格の専用ケーブル４０に接続された外部機器の制御モードに入る外ＩＥＥＥ１３９４キー３３を備える。
【００３３】
ユーザが遠隔操作部３０のキーを押圧すると、そのキーに対応した信号が出光し、それをＲ／Ｃ受光部２３が受光して信号に変換する。表示部２０には、ＲＯＭ２４のキャラクタ・ジェネレータ２５から読み出されたＧＵＩ用の操作パネル（操作画面）がＯＳＤ画像として映像信号に重畳されて表示されている。制御部２２は、遠隔操作部３０からの指示に基づいて、キャラクタ・ジェネレータ２５の中に格納されている操作パネルの中からを指示に対応する操作パネルを選択し、外部機器情報に基づいて操作パネルを生成し、表示部２０に表示させる。リモコン信号が制御部２２に入力されると、操作パネル上の操作ボタンの選択処理等を行い、それをユーザが認識できるように表示する。そして、制御部２２が操作パネルで操作された内容に基づいて、外部機器を制御する。
【００３４】
また、ＩＥＥＥ１３９４専用ケーブルによって接続されている外部機器から外部機器情報が送出され、ＲＡＭ２６の外部機器情報登録部２７に格納されている。ここで外部機器情報とは、ＡＶ機器である外部機器を識別するための識別情報であり、（１）外部機器の種類（Ｄ−ＶＨＳ、ＨＤＤ、Ｂｌｕｅ  Ｒａｙ  Ｄｉｓｃ（ＢＤ）等の種別）、（２）メーカー名、（３）製品型番、（４）製品No.（シリアル番号）等である。
【００３５】
次に、テレビジョン受信機１０に操作パネルを表示させて外部機器を操作する処理について、図３のフローチャートを用いて説明する。
まず、ユーザはテレビジョン受信機１に接続されている外部機器の中から操作する外部機器を選択する。そのため、図４に示す外部機器選択画面を表示させてユーザに選択させる処理を行なう（ステップＳ１〜３）。
テレビジョン受信機１０の制御部２２は、接続中の外部機器があるかを確認する（ステップＳ１）。外部機器が接続されていれば、その外部機器情報を外部情報登録部から自動的に取得する（ステップＳ２）。次に、図４に示す外部機器の選択画面を表示させる処理を行なう。そして、ユーザは、表示された外部機器の中から任意の外部機器を選択する（ステップＳ３）。
【００３６】
次に、制御部２２は、ユーザにより遠隔操作部３０のＩＥＥＥ１３９４キー３３が押下されたかを判別する（ステップＳ４）。ここでＩＥＥＥ１３９４キー３３とは、ＩＥＥＥ１３９４規格のインターフェースを介してテレビジョン受信機１に接続されている外部機器の操作画面を読み出すためのキーである。制御部２２は、選択した外部機器が複数の動作状態の操作画面を必要とするほど操作数が多い特定種別のＡＶ機器であるかを判断して、そうである場合には、再生関連操作パネルと録画関連操作パネルの切換処理を行いながら操作パネル（図５、図６参照）を表示処理する（ステップＳ５〜Ｓ８、Ｓ１１〜Ｓ１２）。また、複数の動作状態の操作画面を必要としない外部機器の場合は、図７に示す単一操作パネルの表示処理を行なう（ステップＳ５、Ｓ１３〜Ｓ１５）。
【００３７】
ここで、図５に示す再生関連操作パネルは、再生ステータスとして、再生しようとしているコンテンツの現在の再生時間、同コンテンツの再生総時間、再生に関する状態表示（ＰＬＡＹ＞、ＳＴＯＰなど）、図６に示す録画関連操作パネルに切り換える「録画操作」ボタン、可能な場合は録画対象機器の録画残容量「ディスク残量」を配する。録画中に再生操作を行っている場合に録画中か否かをあらわす状態表示（録画中）をステータス上に表示しても良い。
【００３８】
また、図６に示す録画関連操作パネルは、録画ステータスとして、録画しようとしているコンテンツの録画時間、録画に関する状態表示（ＲＥＣ●、ＲＥＣ−ＰＡＵＳＥ●‖など）、図５に示す再生関連操作パネルに切り換える「再生操作」ボタン、可能な場合は録画対象機器の録画残容量を配する。録画中に再生操作を行っている場合に録画中か否かをあらわす状態表示（録画中）をステータス上に表示している。
このように再生関連操作パネルや録画関連操作パネルには、ＡＶ機器の少なくとも録画状態もしくは再生状態のそれぞれに必要な操作項目を配置している。そして、各パネルには選択された操作対象である外部機器の少なくとも種別、メーカー名、製品型名及び製品番号等のいずれかを表示する。こうして、操作パネルの対象となっている外部機器がどれであるかをユーザが明確に把握できるようになっている。
【００３９】
制御部２２は、ユーザが選択した外部機器がＨＤＤレコーダ又はＢＤかを確認して（ステップＳ５）、ＨＤＤレコーダ又はＢＤである場合には、ＨＤＤレコーダ又はＢＤ用の外部機器操作パネルの画面表示をキャラクタ・ジェネレータ２５に対し指示する（ステップＳ６）。このように複数の動作状態の操作画面を必要とするほど操作数が多い特定種別のＡＶ機器である場合には、再生関連操作パネルと録画関連操作パネルの切換処理が可能となるようになっている。
【００４０】
そして、初期表示時であるか、若しくはユーザが操作パネル上の「再生操作」ボタン（図６参照）を選択しているかを確認する（ステップＳ７）。初期表示時、若しくは「再生操作」ボタン選択の場合、図５に示すような再生関連操作パネルをキャラクタ・ジェネレータ２５から読み出し、ＯＳＤ画像として、表示している映像に重畳させて表示部２０の画面右隅に表示する（ステップＳ８）。
【００４１】
ステップＳ７において、初期表示時、若しくは「再生操作」ボタン選択ではなかった場合、ステップＳ１１に進み、制御部２２は、ユーザが操作パネル上の「録画操作」ボタン（図５参照）を選択しているかを確認する（ステップＳ１１）。「録画操作」ボタンを選択の場合、図６に示すような録画関連操作パネルをキャラクタ・ジェネレータ２５から読み出し、ＯＳＤ画像として、表示している映像に重畳させて表示部２０の画面右隅に表示する（ステップＳ１２）。
【００４２】
また、ステップＳ５において、選択外部機器がＨＤＤ又はＢＤではなかった場合、Ｄ−ＶＨＳ用等の外部機器操作パネルの画面表示をキャラクタ・ジェネレータ２５に対し指示する（ステップＳ１３）。図７に示すような単一操作パネル（再生ステータス及び録画ステータスの両方を表示）をキャラクタ・ジェネレータ２５から読み出し、ＯＳＤ画像として、表示している映像に重畳させて表示部２０の画面右隅に表示する（ステップＳ１４）。
【００４３】
ステップＳ８、Ｓ１２あるいはＳ１４の処理を行なった場合、ステップＳ９において、一定時間Ｔ１が経過するのを待って、操作用パネルの表示を消去する（ステップＳ１０）。
【００４４】
このように本実施形態においては、再生ステータスを示す再生操作パネルと録画ステータスを示す録画操作パネルを別のパネルに配し、操作パネル上の「再生操作」あるいは「録画操作」ボタンを押すことによって、操作パネルを切り換える（図５、図６参照）。こうして、再生用ステータスと、録画用ステータスを切り換えるので、１画面中のステータス表示領域を小さくすることができるとともに、１画面中のコントロールボタンの総数を少なくする事ができる。また、操作が再生操作に関するものなのか、録画操作に関するものなのか、ユーザが明確にステータス（時間、状態）を含めて容易に判断できる。
【００４５】
また、再生関連操作パネルと録画関連操作パネルをそれぞれ切り換えて表示できるので、録画機能と再生機能を同時に用いる事ができる接続相手機器（例えばＡＶ−ＨＤＤ）から時間表示などのステータスを別々に取得し表示できる。また、再生操作中は再生中のコンテンツを、録画操作中は録画中のコンテンツを、それぞれ操作切換ボタンで切り換えて映像として表示する事もできる。
【００４６】
再生ステータスの再生総時間の位置と同じ位置に、録画ステータスの録画時間を表示する事もでき、こうすることで録画時のコンテンツの録画時間が、録画停止後のコンテンツの再生総時間となることを容易にユーザに認識させる事ができる。また、録画機能と再生機能を同時に用いる事ができる接続相手機器の場合、現在録画中のコンテンツに対し、再生操作を行った場合は、コンテンツの現在の再生時間が逐次更新されるのと同時に、コンテンツの再生総時間も逐次更新されることとなり、録画中のコンテンツを再生している事を容易にユーザに認識させる事ができる。
【００４７】
本実施形態においては、再生関連操作パネルと録画関連操作パネルは複数存在してもよい。接続された外部機器が複数存在する場合もあり、その場合は外部機器ごとに操作パネルは存在し、操作パネルを切り換えて表示することができるように、切換えボタンが配置されている。
【図面の簡単な説明】
【００４８】
【図１】本発明に係る映像表示装置とそれに接続された外部機器のブロック図である。
【図２】外部機器操作に用いるリモコン操作キー例である。
【図３】映像表示装置の制御フローチャート図である。
【図４】外部機器選択の操作パネルの画面表示例である。
【図５】再生関連操作パネルの画面表示例である。
【図６】録画関連操作パネルの画面表示例である。
【図７】単一操作パネルの画面表示例である。
【図８】ＩＥＥＥ１３９４インターフェース等による外部機器の接続例である。
【符号の説明】
【００４９】
１０  テレビジョン受信機
１１  アンテナ
１２  受信部
１３ａ，１３ｂ  インターフェース
１４  ＡＶセレクタ
１５  映像デコード部
１６  デコード部
１７  音声デコード部
１８  映像処理部
１９  音声処理部
２０  表示部
２１  音声出力部
２２  制御部
２３  リモコン受光部
２５  キャラクタ・ジェネレータ
２７  外部機器情報登録部
３０  遠隔操作部
３１  カーソル移動キー
３２  カーソル決定キー
３３  ＩＥＥＥ１３９４キー
４０  ケーブル
５０，６０  外部機器
５１，６１  受信部
５２ａ，５２ｂ，６２ａ，６２ｂ  インターフェース
５３，６３  セレクタ
５４，６４  デコード部
５５，６５  エンコード部
５７  外部機器情報登録部
５８，６８  制御部
５９，６９  入力部
【図１】
2006222693.tif 000003
【図２】
2006222693.tif 000004
【図３】
2006222693.tif 000005
【図４】
2006222693.tif 000006
【図５】
2006222693.tif 000007
【図６】
2006222693.tif 000008
【図７】
2006222693.tif 000009
【図８】
2006222693.tif 000010